(57)【要約】【課題】原稿サイズ検知結果に外乱光が及ぼす影響を小さく抑えることのできる画像読取装置を提供する。【解決手段】原稿が載置されていない状態で、原稿マットの角度Ｄと画像データとを対比させ（ステップＳ３）、サービスマンに、外乱光の影響の大きい角度を知らせることができる（ステップＳ４）。そして、この対比結果に基づくサービスマンの入力内容に基づいて、外乱光の影響の大きい角度においては原稿サイズ検知を実行しないように、原稿サイズ検知を行うべき角度を設定する（ステップＳ５）。【選択図】図７
2009111908.tif 000002
【特許請求の範囲】
【請求項１】
透光性を有し、原稿が載置される原稿台と、
上記原稿台に対する距離が変更可能であって、上記原稿台上の原稿を押さえるように設けられる原稿マットと、
上記原稿台に対して、原稿とは逆側から対向するように配され、光を検知するイメージセンサと、
上記イメージセンサの検知結果に基づいて上記原稿のサイズのデータを取得する原稿サイズ取得部と、
上記原稿台と上記原稿マットとの距離を検出する距離検出部と、
上記原稿台上に原稿が載置されていない状態における、上記距離と上記距離に対応する上記イメージセンサの出力値とを対比させる対比実行部と、
を備える原稿サイズ検知装置。
【請求項２】
上記原稿サイズ取得部は、上記イメージセンサの検知範囲において、原稿が上記原稿台に載置されていないときの上記イメージセンサの出力値と、原稿が上記原稿台に載置されているときの上記イメージセンサの出力値とが異なる部分に、原稿が存在すると判断することによって、原稿サイズのデータを取得するようになっている、請求項１に記載の原稿サイズ検知装置。
【請求項３】
上記原稿マットは、上記原稿台に対する角度が変更可能に設けられており、
上記距離検出部は、上記距離として、上記原稿台と上記原稿マットとのなす角度を検出するようになっている請求項１又は２に記載の原稿サイズ検知装置。
【請求項４】
上記対比実行部による対比結果をユーザに提示する提示部をさらに備える請求項１〜３のいずれか１項に記載の原稿サイズ検知装置。
【請求項５】
ユーザから指示を受け付ける受付部と、
上記原稿マットの可動範囲内においてサイズ検知範囲を設定するマット位置設定部と、をさらに備え、
上記原稿サイズ取得部は、上記サイズ検知範囲に対応する上記イメージセンサの出力値を、上記原稿のサイズの取得に用いるようになっており、
上記受付部は、ユーザから、原稿マットの位置についての上記サイズ検知範囲の指定を受け付けるようになっており、
上記マット位置設定部は、上記受付部の受付内容に沿って、原稿マットの位置についての上記範囲を設定するようになっている請求項４に記載の原稿サイズ検知装置。
【請求項６】
上記原稿マットの可動範囲内においてサイズ検知範囲を設定するマット位置設定部をさらに備え、
上記原稿サイズ取得部は、上記サイズ検知範囲に対応する上記イメージセンサの出力値を、上記原稿のサイズの取得に用いるようになっており、
上記マット位置設定部は、上記対比実行部による対比結果に基づいて、上記イメージセンサの検知結果が、イメージセンサの出力値が原稿マットの角度の変化に対して単調に変化する範囲において、上記サイズ検知範囲を設定するようになっている請求項１〜３のいずれか１項に記載の原稿サイズ検知装置。
【請求項７】
ユーザから指示を受け付ける受付部をさらに備え、
上記受付部は、ユーザから、原稿マットの位置についての上記範囲の指定を受け付けるようになっており、
上記マット位置設定部は、上記受付部の受付内容に沿って、上記原稿マットがどの位置にあるときの上記イメージセンサの出力値を上記原稿サイズ取得部が用いるかを、上記サイズ検知範囲内でさらに詳細に設定するようになっている請求項６に記載の原稿サイズ検知装置。
【請求項８】
原稿上の画像を読み取って画像データを得る画像読取装置であって、
請求項１〜７のいずれか１項に記載の原稿サイズ検知装置を備え、
上記イメージセンサが、上記原稿上の画像を読んで画像データを得る画像読取部として機能するようになっている画像読取装置。
【発明の詳細な説明】
【技術分野】
【０００１】
本発明は、原稿のサイズを自動的に検知する原稿サイズ検知装置、及び画像読取装置に関する。
【背景技術】
【０００２】
従来、画像読取装置又は複写機等は、原稿のサイズを検知する機構を備え、原稿サイズに適合した画像読取動作又は画像形成動作を行うようになっている。特許文献１には、このような原稿サイズ検知技術が記載されている。
【特許文献１】特開２００５‐３３８５４６号公報（２００５年１２月８日）
【発明の開示】
【発明が解決しようとする課題】
【０００３】
原稿サイズの検知機構としては、原稿カバーを閉じるときに、ＣＣＤ等のイメージセンサを用いて、主走査方向における原稿サイズを検出するものが考えられる。
【０００４】
しかし、原稿カバーに反射されるなどして、強い外乱光がイメージセンサに入射すると、原稿サイズの誤検知が生じることがある。
【０００５】
本発明は、原稿サイズ検知における外乱光の影響を検出可能な原稿サイズ検知装置、及び画像読取装置を提供することを目的とする。
【課題を解決するための手段】
【０００６】
上記課題を解決するために、請求項１の原稿サイズ検知装置は、透光性を有し、原稿が載置される原稿台と、上記原稿台に対する距離が変更可能であって、上記原稿台上の原稿を押さえるように設けられる原稿マットと、上記原稿台に対して、原稿とは逆側から対向するように配され、光を検知するイメージセンサと、上記イメージセンサの検知結果に基づいて上記原稿のサイズのデータを取得する原稿サイズ取得部と、上記原稿台と上記原稿マットとの距離を検出する距離検出部と、上記原稿台上に原稿が載置されていない状態における、上記距離と上記距離に対応する上記イメージセンサの出力値とを対比させる対比実行部と、を備える。
【０００７】
外乱光の影響が無い状態においては、上記原稿マットと上記原稿台との距離に応じて、上記イメージセンサの出力値は単調に変化する。しかし、外乱光の影響が大きいと、上記イメージセンサの出力値の変化は不規則となる。請求項１の原稿サイズ検知装置によると、上記対比実行部を備えることによって、上記距離と上記出力値とを対比することができるので、外乱光の影響を検出することができる。
【０００８】
請求項２に記載するように、請求項１の原稿サイズ検知装置において、上記原稿サイズ取得部は、上記イメージセンサの検知範囲において、原稿が上記原稿台に載置されていないときの上記イメージセンサの出力値と原稿が上記原稿台に載置されているときの上記イメージセンサの出力値とが異なる部分に、原稿が存在すると判断することによって、原稿サイズのデータを取得するようになっていてもよい。
【０００９】
請求項３に記載するように、請求項１又は２に記載の原稿サイズ検知装置において、上記原稿マットは、上記原稿台に対する角度が変更可能に設けられており、上記距離検出部は、上記距離として、上記原稿台と上記原稿マットとのなす角度を検出するようになっていてもよい。
【００１０】
請求項４に記載するように、請求項１〜３のいずれか１項の原稿サイズ検知装置は、上記対比実行部による対比結果をユーザに提示する提示部をさらに備えてもよい。
【００１１】
上記提示部を備えることによって、ユーザに外乱光が原稿サイズ検知に与える影響を知らせることができる。
【００１２】
請求項５に記載するように、請求項４の原稿サイズ検知装置は、ユーザから指示を受け付ける受付部と、上記原稿マットの可動範囲内においてサイズ検知範囲を設定するマット位置設定部と、をさらに備えていてもよい。そして、上記原稿サイズ取得部は、上記サイズ検知範囲に対応する上記イメージセンサの出力値を、上記原稿のサイズの取得に用いるようになっており、上記受付部は、ユーザから、原稿マットの位置についての上記サイズ検知範囲の指定を受け付けるようになっており、上記マット位置設定部は、上記受付部の受付内容に沿って、原稿マットの位置についての上記範囲を設定するようになっていてもよい。
【００１３】
上記マット位置設定部により、外乱光の影響等を考慮してユーザが指定したサイズ検知範囲を設定することができるので、上記原稿サイズ取得部は、外乱光の影響の少ない条件下で原稿サイズを取得することができる。
【００１４】
また、請求項６に記載するように、請求項１〜３のいずれか１項の原稿サイズ検知装置は、上記原稿マットの可動範囲内においてサイズ検知範囲を設定するマット位置設定部をさらに備えてもよい。そして、上記原稿サイズ取得部は、上記サイズ検知範囲に対応する上記イメージセンサの出力値を、上記原稿のサイズの取得に用いるようになっており、上記マット位置設定部は、上記対比実行部による対比結果に基づいて、上記イメージセンサの検知結果が、イメージセンサの出力値が原稿マットの角度の変化に対して単調に変化する範囲において、上記サイズ検知範囲を設定するようになっていてもよい。
【００１５】
請求項６の原稿サイズ検知装置の構成によると、上記原稿サイズ取得部により、外乱光の影響の少ない範囲をサイズ検知範囲とすることができる。
【００１６】
また、請求項７に記載するように、請求項６の原稿サイズ検知装置は、ユーザから指示を受け付ける受付部をさらに備えてもよい。そして、上記受付部は、ユーザから、原稿マットの位置についての上記範囲の指定を受け付けるようになっており、上記マット位置設定部は、上記受付部の受付内容に沿って、上記原稿マットがどの位置にあるときの上記イメージセンサの出力値を上記原稿サイズ取得部が用いるかを、上記サイズ検知範囲内でさらに詳細に設定するようになっていてもよい。
【００１７】
請求項７の構成によると、外乱光の影響を避ける以外に、ユーザの希望を加味してサイズ検知範囲を設定することができる。
【００１８】
また、請求項８に記載するように、請求項１〜７のいずれか１項に記載の原稿サイズ検知装置は、原稿上の画像を読み取って画像データを得る画像読取装置に適用することもできる。このとき、上記イメージセンサが、上記原稿上の画像を読んで画像データを得る画像読取部として機能するようになっていてもよい。
【発明の効果】
【００１９】
本発明の原稿サイズ検知装置によると、上記対比実行部を備えることによって、上記距離と上記出力値とを対比することができるので、外乱光の影響を検出することができる。
【発明を実施するための最良の形態】
【００２０】
以下、本発明の実施の一形態について、図面を参照して説明する。
【００２１】
図１は本実施形態の複写機１の外観を示す斜視図である。図１に示すように、複写機１は、原稿（図２等に原稿Ｍとして示す）を搬送する原稿搬送装置２と、本体部３とを備える。本体部３は、原稿Ｍから画像を読み取る画像読取装置４、及び画像読取装置４が読み取った画像等を用紙上に印刷する画像形成部５等を備える。
【００２２】
原稿搬送装置２は、原稿を画像読取装置４に対して移動させるための装置であり、本体３の上方に配される。
【００２３】
本体３は、画像読取装置４及び画像形成部５に加えて、画像読取装置４及び画像形成部５を収容するハウジング３０を備える。本体３はさらに、用紙を載置するための手差しトレイ３１、及び、画像形成後の用紙が排出される用紙排出トレイ３３を、ハウジング３０の側面に備える。本体部３は、ハウジング３０に対して出し入れ可能に設けられ、用紙を収容する用紙カセット３２を備える。また、本体部３は、ハウジング３０の上面に、ユーザからの指示を受け付けたりユーザに種々の情報を提示したりする操作パネル３４を備える。本体部３は、ハウジング３０の上面、原稿搬送装置２に対向する位置に、第１プラテンガラス（原稿台）３５、及び第２プラテンガラス３６を備える。
【００２４】
＜２．原稿搬送装置２＞
図１にさらに図２を併せて参照して、原稿搬送装置２について説明する。図２は、原稿搬送装置２及び画像読取装置４の概要を表す正面図である。
【００２５】
図１、図２に示すように、原稿搬送装置２は、ハウジング２０、原稿を載置するための原稿載置トレイ２１、及び読み取りが終わった原稿を受け取る原稿排出トレイ２３を備えると共に、ハウジング２０の内部に設けられ、原稿載置トレイ２１上の原稿を原稿排出トレイ２３まで搬送する原稿搬送部２２等を備える。ハウジング２０の下面、つまり第１プラテンガラス３５に対向する面は、第１プラテンガラス３５上で原稿を押さえる原稿カバーとしても機能する。
【００２６】
図２に示すように、原稿搬送部２２は、複数のローラからなる原稿搬送ローラ群２２ａと、原稿押圧部２２ｂとを備える。原稿搬送ローラ群２２ａは、原稿載置トレイ２１から原稿Ｍを一枚ずつ引き出し、第２プラテンガラス３６上を経て原稿排出トレイ２３へと排出する。原稿押圧部２２ｂは、画像読取装置４が第２プラテンガラス３６を介して原稿Ｍの一方の面（以下、表面と称する）から画像を読み取れるように、原稿搬送ローラ群２２ａによって搬送される原稿Ｍを第２プラテンガラス３６上で押さえる。
【００２７】
＜３．画像読取装置４＞
図２に示すように、画像読取装置４は、原稿搬送装置２２によって搬送中又は第１プラテンガラス３５上に載置された原稿Ｍ上の画像を読み取るようになっている。具体的には、画像読取装置４は、第１プラテンガラス３５に平行に配されたレール４１、及びレール４１上を矢印方向に移動可能なキャリッジ４２、キャリッジ４２を移動させるキャリッジ駆動部（図示せず）によって等を備える。レール４１に垂直かつ第１プラテンガラス３５に平行な方向を主走査方向、レール４１に平行な方向を副走査方向と呼ぶ。
【００２８】
キャリッジ４２内の構成について、図３を参照してより具体的に説明する。図３は副走査方向に平行な平面におけるキャリッジ４２の断面図である。
【００２９】
図３に示すように、画像読取装置４は、キャリッジ４２内に、光源４３、ミラー群４４、集光レンズ４６、及びＣＣＤ（ＣＣＤイメージセンサ）４７等を備える。なお、本実施形態では、原稿から画像を読み取る画像読取部としてＣＣＤを用いるが、ＣＭＯＳイメージセンサ等の他のイメージセンサを、画像読取部として使用することができる。
【００３０】
光源４３は、原稿Ｍの幅方向（主走査方向）に長い形状であり、透光性を有する第１プラテンガラス３５及び第２プラテンガラス３６を介して原稿Ｍの表面に光を照射する。
【００３１】
図３に示すように、ミラー群４４はミラー４４ａ〜４４ｃ等の複数のミラーを備え、原稿Ｍからの反射光をミラー４４ａ〜４４ｂで順次反射して、集光レンズ４６に導く。反射光は集光レンズ４６によってＣＣＤ４７に集められる。ＣＣＤ４７は受けた光をアナログの電気信号に変換する。なお、ＣＣＤ４７はイメージセンサの一例に過ぎず、ＣＭＯＳイメージセンサ等の他のイメージセンサに置換可能である。
【００３２】
第１プラテンガラス３５上の原稿から画像を読み取るときは、キャリッジ４２が副走査方向に移動することで原稿Ｍの全面が走査される。また、原稿搬送装置２２で搬送される原稿の表面の画像を読み取るときは、キャリッジ４２は第２プラテンガラス３６に対向する位置に静止し、上述の原稿搬送部２２によって原稿Ｍがキャリッジ４２に対して移動されることで、副走査方向における走査が行われる。
【００３３】
画像読取装置４は、図示しないＡＦＥ（アナログフロントエンド）及び画像処理回路等を備える。ＡＦＥは、ＣＣＤ４７からの画像信号をデジタル化する。具体的にはＡＦＥは、ＣＤＳ(相関二重サンプリング)、ＡＧＣ（ゲインコントロールアンプ回路）、及びＡＤＣ（Ａ／Ｄコンバータ）等を備える。デジタル化された画像信号は、画像処理回路を経て、ＲＡＭ９３又は記憶装置９４等の記憶媒体に記憶され、画像形成部５による画像形成、又は原稿サイズ検知等に用いられる。
【００３４】
＜４．ポテンショメータ８２＞
図４は、原稿搬送装置２と本体３との接合部分を示す図面である。図４に示すように、原稿搬送装置２のハウジング２０は、本体ハウジング３０に対して、ヒンジ８１にて開閉可能に固定されている。つまり、ハウジング２０はヒンジ８１に固定された一端を中心に回転可能になっている。
【００３５】
ハウジング２０の下面には、第１コンタクトガラス３５と対向する部分に、白色の原稿マット２９が設けられる。つまり、ハウジング２０が本体ハウジング３０に対して開くと、原稿マット２９とコンタクトガラス３５との距離が大きくなり、ハウジング２０が閉じると、この距離は小さくなる。
【００３６】
複写機１は、ハウジング２０の位置を検出する位置検出部として、ポテンショメータ８２を備える。ポテンショメータ８２は、ハウジング２０の回転角度Ｄに応じた出力値を示す。具体的には、角度Ｄは、ハウジング２０の下面と本体ハウジング３０の上面（つまり第１コンタクトガラス３５の上面）とのなす角度、すなわち原稿マット２９と本体ハウジング３０の上面とのなす角度とすることができる。以下では、角度Ｄを原稿マット２９と本体ハウジング３０とのなす角度であるとし、単に「原稿マット２９の角度」と称することがある。なお、図３では、ポテンショメータ８２は本体３に設けられているが、これに限らず、原稿搬送装置２に設けられていてもよい。
【００３７】
なお、位置検出部としては、ポテンショメータ以外にも、ハウジング２０の位置、言い換えると、ハウジング２０の下面と本体ハウジング３０の上面との距離、すなわち、原稿マット２９と第１コンタクトガラス３５との距離を検出する検出手段を、適宜用いることができる。
【００３８】
＜５．画像形成部５＞
図５を参照して、画像形成部５について説明する。図５は、画像形成部５及びその周辺の要部構成を示す正面図である。
【００３９】
図５に示すように、画像形成部５は、回転可能に設けられた円柱状の感光体ドラム１０を備えると共に、感光体ドラム１０の回転方向（図５中に矢印で示す）に沿って、感光体ドラム１０を一様に帯電させる帯電装置１１、帯電した感光体ドラム１０に光を照射することで感光体ドラム１０上に静電潜像を描く露光装置１２、静電潜像を現像剤で現像してトナー像を形成する現像装置１３、トナー像が用紙に転写された後に感光体ドラム１０を除電する除電装置１４、及び、転写後も感光体ドラム１０上に残るトナーを除去するクリーニング装置１５等を備える。なお、複写機１は、複数の画像形成部５、特に複数の現像装置１３を備える構成であってもよい。また、本実施形態では、現像剤としてトナーとキャリアとを含む２成分現像剤を用いるが、これ以外にも、１成分及びその他の現像剤を適宜用いることができる。
【００４０】
複写機１は、さらに、感光体ドラム１０上のトナー像を用紙へ転写する転写部６１、転写後の用紙に熱圧着によりトナー像を定着させる定着装置６２、及び、手差しトレイ３１又は用紙カセット３２から、転写部６１、定着装置６２を経て、用紙排出トレイ３３に至るまで、用紙を搬送する用紙搬送部７を備える。なお、転写部６１は、感光体ドラム１０の回転方向において、現像装置１３より下流、除電装置１４より上流で、トナー像を感光体ドラム１０から用紙へ転写するようになっている。
【００４１】
以上のように、本実施形態においては、画像形成部５として、電子写真方式の印刷機構を採用している。但し、これに限らず、画像形成部５としてインクジェット方式等の他の印刷機構を採用することもできる。
【００４２】
＜６．制御系＞
図６は、複写機１の要部構成を示すブロック図である。図６に示すように、複写機１は、上述した各部の他、ＣＰＵ９１、ＲＯＭ９２、ＲＡＭ９３、記憶装置９４等を備える。複写機１内の各部は、バス９５によって互いにデータのやり取りが可能に接続されている。
【００４３】
ＣＰＵ９１は、複写機１内の各部の動作を制御する制御装置として機能したり、各種演算を行ったりすることができる。後述するＣＰＵ９１の各機能は、ＣＰＵ９１が、ＲＯＭ９２等の記録媒体内に記憶されたプログラムを読み出し、実行することによって実現される。ＲＡＭ９３は、ＣＰＵの作業領域として機能したり、画像データ等の情報を一時的に記憶したりすることができる。なお、図６では、ＣＰＵ９１の制御下で動作するブロックの一例として、操作パネル３４、画像読取装置４、画像形成部５、用紙搬送部７を示す。
【００４４】
操作パネル３４は、液晶表示装置等の表示部３４ｃとタッチセンサ３４ｄとを備えるタッチパネル３４ａ、及びテンキー等の種々のハードキーを含むハードキー群３４ｂを備える。タッチセンサ３４ｄ及びハードキー群３４ｄは、ユーザ（サービスマンを含む）から種々の指示及び情報の入力を受け付ける入力受付部として機能する。
【００４５】
＜７．原稿サイズ検知時の角度の設定＞
（7-1）第１例
図２〜図４、図６及び図７等を参照して、原稿サイズ検知時の角度の設定方法の一例について説明する。図７は、複写機１において、角度Ｄ（原稿カバー位置）について、原稿サイズを検知するときの値を設定するときの動作の流れを示すフローチャートである。
【００４６】
図７の動作は、例えば、複写機１が新たな場所に設置されるときに行われる。図７では、サービスマンが複写機１をユーザの希望する設置場所に設置するときを例に説明する。
【００４７】
操作パネル３４を介して、サービスマンから、角度の範囲の設定を開始する旨の指示を受け付けると、複写機１にて以下の動作が開始される（ステップＳ１）。
【００４８】
まず、第１プラテンガラス３５上に原稿が載せられていない状態で、サービスマンによりハウジング２０、つまり原稿マット２９が全開から全閉まで動かされる間、ＣＰＵ９１の制御により、画像読取装置４は画像の読み取り動作を実行する（ステップＳ２）。具体的には、光源４３を発光させた状態で、ＣＣＤ４７による画像の読み取りを行う。なお、「全開から全閉」とは、角度Ｄが最大値から最小値まで変化する間であってもよいし、最大値から最小値まで変化する間のうちの一部である、予め定められた範囲であってもよい。
【００４９】
ＣＰＵ９１は、こうして得た画像データと、その画像データを得たときの角度Ｄとを対比させる対比実行部部として機能する（ステップＳ３）。また、ＣＰＵ９１は、操作パネル３４の表示部に表示させるか、用紙搬送部７及び画像形成部５等により用紙上に印刷出力することで、対比結果をサービスマンに提示する（ステップＳ４）。つまり、操作パネル３４の表示部３４ｃ又は画像形成部５が、対比結果の提示部として機能する。
【００５０】
なお、こうして得られた画像データと角度Ｄとの対比結果は、記憶装置９４等の記憶媒体に記憶される。記憶される画像データは、記憶媒体の容量に鑑みて適宜設定されればよいが、例えば５度毎又は１０度毎など一定角度毎の画像データとすることができる。よって、記憶されるデータ数は、主走査方向における１箇所において、数個、又は数十個とすることができる。
【００５１】
対比結果の一例を図８に示す。図８は、行方向に、画像データの主走査方向における位置（何画素目か）を、列方向に角度Ｄを提示する。画像データの数値は、最小値がゼロ、最大値が２５５であり、小さくなるほど暗く、大きいほど明るいことを示す。また、図８では、全開を９０度、全閉を０度としている。図８の例では、画像データは、５度毎に、１箇所（０画素目、２００画素目など）当たり１９個のデータが記憶されている。
【００５２】
通常、角度Ｄが小さいほど、光源４３からの光が原稿マット２９で反射した反射光のうち、ＣＣＤ４７に入射する量が多くなるので、画像データの数値は大きくなる。つまり、通常は、角度Ｄの増加に伴い、画像データの示す明るさは単調に減少する。
【００５３】
ところが、強い外乱光２００（図４）が入ると、角度Ｄが増加しているにもかかわらず、明るさに不規則な増加が生じる。図８の例では、角度Ｄが４０度〜５０度であるときに、このような明るさの増加が認められる（図８の太字で示す部分）。通常の原稿は縁が白いので、このように外乱光の影響を受けていると、ＣＰＵ９１は、第１プラテンガラス３５上の原稿Ｍの縁、つまり原稿Ｍのサイズを、ＣＣＤ４７が得た画像データから精確に判断することができない。
【００５４】
これに対して、複写機１は、角度Ｄと画像データとの対比結果を示すことで、サービスマンに外乱光の影響を知らせることができる。そして、複写機１は、この対比結果を参照したサービスマンから、例えば角度Ｄが４０度〜５０度の間では原稿サイズ検知を行わないように、との指示を、操作パネル３４を介して受け付けることができる。
【００５５】
そして、ＣＰＵ９１は、角度Ｄがどの範囲にあるときの画像データに基づいて、原稿サイズを取得すべきかを設定する、マット位置設定部として機能する（ステップＳ５）。図８の例では、ＣＰＵ９１は、角度Ｄが４０度〜５０度であるときは原稿サイズ検知を行わないように、言い換えると、角度Ｄが４０度未満であるとき又は５０度より大きいときに原稿サイズ検知を行うように、との情報を、記憶装置９４等の記憶媒体に記憶させる。すなわち、本例においては、４０度未満であるか又は５０度より大きい角度が、サイズ検知範囲として設定される。
【００５６】
なお、対比結果は、図８のような表として提示される必要はなく、図９に示すようなグラフとして提示されてもよい。図９では、横軸を角度Ｄ、縦軸を画像データ（つまり明るさ）としている。図９では、説明の便宜上、０、２０００、４０００、及び６０００画素目の画像データのみを示す。図９を見ると、２０００画素目及び４０００画素目において、角度Ｄが４０度〜５０度であるときに、明るさが増加していることが分かる。
【００５７】
（7-2）第２例
第１例では、角度Ｄについて、サービスマンによる範囲の入力に応じて原稿サイズ検知を行うべき範囲（言い換えるとサイズ検知範囲）を設定したが、これ以外にも、原稿サイズ検知時の角度Ｄの範囲をＣＰＵ９１が自ら設定するようになっていてもよい。この場合の複合機１の動作を図１０に示す。
【００５８】
図１０に示すように、本例の動作は、第１例のステップＳ４及びＳ５に代えてＳ６が行われる以外は、第１例と同様である。すなわち、ステップＳ３で得られた対比結果において、画像データが、図８における４０度〜５０度の範囲のように、角度Ｄの増加に伴って単調に減少しない不規則な変化を示す場合は、この範囲を除くように、ＣＰＵ９１が、角度Ｄにおいて原稿サイズ検知を行うべき範囲を設定する。
【００５９】
なお、図８及び図９には、説明の便宜上、主走査方向におけるデータのみを示したが、画像読取装置４は、副走査方向にキャリッジ４２を移動させることによって、副走査方向においても同様の画像データを得ることができる。
【００６０】
＜８．角度の詳細な設定＞
上記＜７．＞欄の動作が終了後、ＣＰＵ９１は、ユーザからの指示に基づいて、角度Ｄについて、原稿サイズ検知を行うときの範囲をさらに詳細に設定することができる。具体的には、図１１のフローチャートに示す通りである。
【００６１】
図１１に示すように、ＣＰＵ９１は、原稿サイズ検知を行うときの角度Ｄの指定を受け付けるための受付画面Ｗ１（図１２）を操作パネル３４の表示部に表示させる（ステップＳ１１）。
【００６２】
図１２に示すように、受付画面Ｗ１には、角度を入力するための入力欄Ｂ１が、ユーザに入力を促すメッセージと共に表示される。また、受付画面Ｗ１には、ＯＫキーＫ１も表示され、テンキー等を介してユーザにより入力欄Ｂ１に数値が入力された後、ＯＫキーＫ１が押されると、ＣＰＵ９１は入力内容が確定したものと判断して、この数値を、原稿サイズ検知時の角度Ｄの値として、記憶装置９４等の記憶媒体に記憶させる（ステップＳ１２でＹｅｓ→Ｓ１３）。
【００６３】
一方、ユーザが数値を入力しなければ、ＣＰＵ９１は、デフォルトの値を原稿サイズ検知の角度Ｄの値とすることができる（ステップＳ１４）。ＲＯＭ９２等にデフォルトの値がいくつか記憶されていれば、ＣＰＵ９１はこれらのデフォルトの値のうち、上記＜７．＞欄で除かれた範囲に含まれない値を、原稿サイズ検知時の原稿マット２９の角度として選択することができる。
【００６４】
原稿サイズ検知時の原稿マット２９の角度として設定された値が小さいと、外乱光の影響は少なく、原稿サイズ検知開始から画像読取終了まで、原稿Ｍのずれも生じにくい。しかし、光源４３から照射される光量が多くなるので、縁の白い原稿の場合、原稿の縁と原稿マット２９との画像データ上の差が小さくなるので、精確なサイズ検知が難しくなる傾向がある。
【００６５】
また、この角度が大きいと、縁の白い原稿について精確なサイズ検知が可能となるが、原稿マット２９が、この角度からさらに寝て（角度を小さくして）原稿を押さえるまでの間に、原稿Ｍがずれやすい。また、縁の色の濃い原稿（特に黒い原稿）についての精確なサイズ検知が難しくなる。
【００６６】
ＣＰＵ９１は、角度を小さくすること、大きくすることの、以上のような長所及び短所を、操作パネル３４の表示部を介してユーザに提示するステップを、ステップＳ１１の前に行ってもよい。
【００６７】
＜９．原稿サイズ検知＞
複写等の実行時、ＣＰＵ９１は図１３に示す処理を行うことで、原稿サイズを取得する原稿サイズ取得部として機能する。
【００６８】
ユーザが原稿Ｍを第１コンタクトレンズ３５上に載置して、ハウジング２０を本体部３に近付けていくと、角度Ｄが上述のようにして設定された値に達したところで、ＣＰＵ９１は、画像読取装置４を制御して、画像データの取得を開始する（ステップＳ２２）。そして、ＣＰＵ９１は、得られた画像データと原稿マット２９からの反射光より得られた画像データとを比較する（ステップＳ２３）。ＣＰＵ９１は、原稿マット２９からの反射光より得られた画像データとの差がある部分を、原稿Ｍが存在する部分であると判断することで、画像データから原稿サイズを取得することができる（ステップＳ２４）。
【００６９】
原稿マット２９からの反射光より得られた画像データとしては、上記＜７．＞欄の処理において記憶装置９４等に格納された対比結果に含まれるデータを利用することができる。
【００７０】
こうして得られた原稿サイズに基づいて、ＣＰＵ９１は、用紙搬送部７により適切なサイズの用紙を搬送させたり、画像形成部５を制御したりして、適切な大きさの複写物を作成することができる。
【００７１】
以上のように、複写機１は、原稿マット２９の位置が外乱光の影響を強く受ける範囲から外れているときに原稿サイズ検知を行うことができる。よって、複写機１に強い光が当たるような設定場所においても、原稿サイズの検知精度を大きく低下させにくいという利点がある。さらに、原稿サイズを検知するときの原稿マット２９の角度を、ユーザの好みに合わせて設定することができる。
【００７２】
なお、以上の実施形態においては、画像読取装置４のＣＣＤ４７が、印刷等に用いられる画像データの取得と、原稿サイズ判定との両方に用いられるものとしたが、本発明はこれに限定されるものではなく、これらの動作が別々のＣＣＤ等のイメージセンサによって行われるものであってもよい。
【００７３】
また、以上の実施形態においては、複写機１は、外乱光の影響の小さい範囲内でサイズ検知範囲を設定するのとしたが、単に図８又は図９のような対比結果をユーザに提示することで、外乱光の影響の小さい場所をユーザに知らせるというように、ユーザが複写機１の設置場所を決めるための情報を提供することもできる。
【００７４】
以上、本発明を複写機に適用した場合の実施形態について説明したが、もちろん、本発明を適用した画像読取装置も本発明の実施形態に含まれる。また、本発明は、以上に述べた実施形態に限定されるものではなく、特許請求の範囲に示した範囲内で、種々の変更が可能である。
【図面の簡単な説明】
【００７５】
【図１】本発明の実施の一形態に係る複写機１の外観を示す斜視図である。
【図２】複写機１の原稿搬送装置２及び画像読取装置４の概要を表す正面図である。
【図３】副走査方向に平行な平面における、画像読取装置４のキャリッジ４２の断面図である
【図４】複写機１における原稿搬送装置２と本体３との接合部分を示す図面である。
【図５】複写機１の画像形成部５及びその周辺の要部構成を示す正面図である。
【図６】複写機１の要部構成を示すブロック図である。
【図７】角度Ｄについて、原稿サイズを検知するときの値を設定するための動作の流れを示すフローチャートである
【図８】画像データと角度Ｄとの対比結果の表示の一例を示す図面である。
【図９】画像データと角度Ｄとの対比結果の表示の他の例を示す図面である。
【図１０】角度Ｄについて、原稿サイズを検知するときの値を設定するための動作の流れを示すフローチャートである。
【図１１】角度Ｄについて、原稿サイズを検知するときの値をさらに詳細に設定するための動作の流れを示すフローチャートである。
【図１２】ユーザから角度の設定値の入力を受け付けるための受付画面Ｗ１を示す図面である。
【図１３】原稿サイズ検知時の処理の流れを示すフローチャートである。
【符号の説明】
【００７６】
１    複写機１
４    画像読取装置
４３  光源
４７  ＣＣＤ（イメージセンサ）
５    画像形成部
８２  ポテンショメータ
９１  ＣＰＵ
９２  ＲＯＭ
９３  ＲＡＭ
９４  記憶装置
【図１】
2009111908.tif 000003
【図２】
2009111908.tif 000004
【図３】
2009111908.tif 000005
【図４】
2009111908.tif 000006
【図５】
2009111908.tif 000007
【図６】
2009111908.tif 000008
【図７】
2009111908.tif 000009
【図８】
2009111908.tif 000010
【図９】
2009111908.tif 000011
【図１０】
2009111908.tif 000012
【図１１】
2009111908.tif 000013
【図１２】
2009111908.tif 000014
【図１３】
2009111908.tif 000015